【事件の表示】
　特願２００９−２０３３７８「メディアにアクセスするための時間および位置に基づくグラフィカルユーザインターフェース（ＧＵＩ）」拒絶査定不服審判事件〔平成２２年　４月　８日出願公開、特開２０１０−　７９８９２〕について、次のとおり審決する。
【結　論】
　本件審判の請求は、成り立たない。
【理　由】
第１．手続の経緯
　本願は、平成２１年９月３日（パリ条約による優先権主張２００８年（平成２０年）９月８日、アメリカ合衆国）の出願であって、平成２４年３月１５日付けで拒絶理由が通知され、これに対し、平成２４年６月１５日付けで手続補正がなされたが、平成２５年３月２１日付けで拒絶査定がなされたものである。これを不服として、平成２５年７月２２日に本件審判請求がなされると同時に同日付けで手続補正がなされた。
　
第２．平成２５年７月２２日付け手続補正についての補正却下の決定
［補正却下の決定の結論］
　　平成２５年７月２２日付けの手続補正を却下する。
［理由］
１．補正の内容
（１）請求項１に係る補正
　この手続補正による補正事項のうち、特許請求の範囲の請求項１に係る補正について、補正後の請求項１は次のとおりである。
「【請求項１】
　メディアを提示するための方法であって、前記方法は、
　開始点および終了点を含むタイムラインに対応するスライドバーを表示することと、
　入力デバイスを介して、前記スライドバーからユーザ選択された時点を受信することと、
　地理的領域を表す画像を表示することであって、前記地理的領域が前記ユーザ選択された時点に少なくとも部分的に基づくことと、
　メディアを提示することであって、提示された前記メディアが前記ユーザ選択された時点に少なくとも部分的に基づくことと、
を含む、方法。」
　
（２）補正前の請求項の記載
　この手続補正による補正前の特許請求の範囲の請求項１−２５の記載は、次のとおりである。
「【請求項１】
　メディアを提示するための方法であって、前記方法は、
　入力デバイスを介して、ユーザにより選択される開始点および終了点を受信し、前記開始点および前記終了点が、前記開始点および前記終了点の選択を介して、前記ユーザによって選択された時間幅を有する時間間隔に対応するステップと、
　地理的領域を表し、かつ、前記地理的領域が前記ユーザにより決定された前記時間幅を有する前記時間間隔に少なくとも部分的に基づく画像を表示するステップと、
　提示された前記メディアが前記ユーザにより選択された前記時間幅を有する前記時間間隔に少なくとも部分的に基づく、前記メディアを提示するステップと、
を含む、方法。
【請求項２】
　前記入力デバイスが、前記開始点および前記終了点の間で時間内にユーザにより選択された点を示す、スライダ、ノブ、レバー、およびアナログ選択デバイスの表現のうち少なくとも１つを含み、
　前記方法が、
　時間内にユーザが選択した点を決定することと、
　時間内にユーザが選択したポイントの決定に応じて、時間内に前記ユーザが選択した点に対応する地理的領域内に地理的点を示すことと、を含む、
請求項１に記載の方法。
【請求項３】
　前記開始点および終了点が、カレンダー上の日付を選択すること、時計上の時刻を設定すること、および前記入力デバイスを介して時刻を入力することのうち少なくとも１つを通じて前記ユーザにより選択される、請求項１に記載の方法。
【請求項４】
　前記ユーザにより選択された前記開始点および前記終了に接続する、前記画像上に軌跡を表示するステップをさらに含む、請求項１に記載の方法。
【請求項５】
　提示された前記メディアが映像を含む、請求項１に記載の方法。
【請求項６】
　提示された前記メディアが写真を含む、請求項１に記載の方法。
【請求項７】
　提示された前記メディアが音声記録を含む、請求項１に記載の方法。
【請求項８】
　表された前記地理的領域の大きさが、前記ユーザにより選択された前記開始点および終了点に少なくとも部分的に基づく、請求項１に記載の方法。
【請求項９】
　メディアを提示するためのシステムであって、前記システムは、
　前記システムの、ユーザにより選択された開始点および終了点を受信するように構成され、前記開始点および前記終了点が、前記開始点および前記終了点の選択を介して前記ユーザによって選択された時間幅を有する時間間隔に対応する入力デバイスと、
　地理的領域を表し、かつ、前記地理的領域が前記ユーザにより選択された前記開始点および終了点に少なくとも部分的に基づく画像を表示するように構成されたディスプレイと、
　提示された前記メディアが前記ユーザにより選択された前記開始点および終了点に少なくとも部分的に基づく、前記メディアを提示するように構成された出力デバイスと、
を含む、システム。
【請求項１０】
　前記入力デバイスが、前記開始点および前記終了点の間で時間内にユーザにより選択された点を示す、スライダ、ノブ、レバー、およびアナログ選択デバイスの表現のうち少なくとも１つを含み、
　前記方法が、
　時間内にユーザが選択した点を決定することと、
　時間内にユーザが選択したポイントの決定に応じて、時間内に前記ユーザが選択した点に対応する地理的領域内に地理的点を示すことと、を含む、
請求項９に記載のシステム。
【請求項１１】
　前記入力デバイスが、カレンダー、時計の文字盤、および時刻選択ツールのうち少なくとも１つを含む、請求項９に記載のシステム。
【請求項１２】
　前記表示された画像が、特定領域の地図、描画／スケッチ、および写真のうち少なくとも１つを含む、請求項９に記載のシステム。
【請求項１３】
　前記ディスプレイが、前記ユーザにより選択された前記開始点および前記終了に接続する、前記画像上に軌跡を表示するようにさらに構成される、請求項９に記載のシステム。
【請求項１４】
　前記出力デバイスがメディアビューワを含む、請求項９に記載のシステム。
【請求項１５】
　提示された前記メディアが映像を含む、請求項９に記載のシステム。
【請求項１６】
　提示された前記メディアが写真を含む、請求項９に記載のシステム。
【請求項１７】
　提示された前記メディアが音声記録を含む、請求項９に記載のシステム。
【請求項１８】
　表された前記地理的領域の大きさが、前記ユーザにより選択された前記時間幅を有する時間間隔に少なくとも部分的に基づく、請求項９に記載のシステム。
【請求項１９】
　メディアを提示するためのシステムであって、前記システムは、
　画像、映像、および音のうち少なくとも１つを提示するように構成された出力デバイスと、
　ユーザにより決定された開始点および終了点を示す前記ユーザからの入力を受信するように構成され、前記開始点および前記終了点は、前記開始点および前記終了点の選択を介して前記ユーザによって選択された時間幅を有する時間間隔に対応する入力デバイスと、
　前記入力を処理し、
　地理的領域を表し、かつ、前記地理的領域が前記ユーザにより選択された前記開始点および前記終了点に少なくとも部分的に基づく画像を表示し、
　示された前記メディアが前記ユーザにより選択された前記開始点および前記終了点に少なくとも部分的に基づく、前記出力デバイス上で前記メディアを提示する、
　ように構成されたプロセッサと、
を含む、システム。
【請求項２０】
　前記入力デバイスが、前記開始点および前記終了点の間で時間内にユーザにより選択された点を示す、スライダ、ノブ、レバー、およびアナログ選択デバイスの表現のうち少なくとも１つを含み、
　前記方法が、
　時間内にユーザが選択した点を決定することと、
　時間内にユーザが選択したポイントの決定に応じて、時間内に前記ユーザが選択した点に対応する地理的領域内に地理的点を示すことと、を含む、
請求項１９に記載のシステム。
【請求項２１】
　前記入力デバイスが、カレンダー、時計の文字盤、および時刻選択ツールのうち少なくとも１つを表示するグラフィカルユーザインターフェースを含む、請求項１９に記載のシステム。
【請求項２２】
　前記プロセッサが、前記ユーザにより選択された前記開始点および前記終了に接続する、前記画像上に軌跡を表示するようにさらに構成される、請求項１９に記載のシステム。
【請求項２３】
　提示された前記メディアが映像を含む、請求項１９に記載のシステム。
【請求項２４】
　提示された前記メディアが写真を含む、請求項１９に記載のシステム。
【請求項２５】
　提示された前記メディアが音声記録を含む、請求項１９に記載のシステム。」
　
２．補正の適否
（１）補正の目的
　この補正による補正前の請求項１及びそれを引用する請求項２−８（上記１．（２））は、何れも、「・・・ユーザにより選択される開始点および終了点を受信・・・するステップ」を要件とする方法に係る発明である。
　これに対し、補正後の請求項１は、方法に係る発明であって、「スライドバーからユーザ選択された時点を受信すること」は要件としているが、上記した「・・・ユーザにより選択される開始点および終了点を受信・・・するステップ」までは要件としていない方法であるから、補正後の請求項１は、補正により「ユーザにより選択される開始点および終了点」の限定を省いたものであるということができ、補正前の請求項１−８の発明を特定するために必要な事項を限定したものということはできない。
　また、補正前の請求項９−２５は、システムに係る発明であるから、方法に係る発明である補正後の請求項１は、補正前の請求項９−２５の発明を特定するために必要な事項を限定したものということもできない。
　したがって、請求項１に係る補正は、特許請求の範囲の減縮を目的とするものとはいえない。
　さらに、請求項１に係る補正は、請求項の削除、誤記の訂正、明りようでない記載の釈明の何れを目的とするものにも該当しないことは明らかである。
　
（２）まとめ
　上述した請求項１に係る補正を含む平成２５年７月２２日付け手続補正は、特許法第１７条の２第５項第１号から第４号に規定された何れを目的とするものにも該当しないから、同法第１７条の２第５項の規定に違反しているものと認められ、同法第１５９条第１項の規定において読み替えて準用する同法第５３条第１項の規定により却下すべきものである。
　
第３．本願発明について
１．本願発明
　本願の請求項１−２５に係る発明は、平成２４年６月１５日付けの手続補正により補正された特許請求の範囲の請求項１−２５に記載された事項により特定されるものであるところ、その請求項１に係る発明（以下、「本願発明」という）は、次のとおりのものである。
　
［本願発明］
「メディアを提示するための方法であって、前記方法は、
　入力デバイスを介して、ユーザにより選択される開始点および終了点を受信し、前記開始点および前記終了点が、前記開始点および前記終了点の選択を介して、前記ユーザによって選択された時間幅を有する時間間隔に対応するステップと、
　地理的領域を表し、かつ、前記地理的領域が前記ユーザにより決定された前記時間幅を有する前記時間間隔に少なくとも部分的に基づく画像を表示するステップと、
　提示された前記メディアが前記ユーザにより選択された前記時間幅を有する前記時間間隔に少なくとも部分的に基づく、前記メディアを提示するステップと、
を含む、方法。」
　
２．刊行物の記載事項
（１）刊行物１の記載事項
　平成２４年３月１５日付けで通知した拒絶の理由で引用された本願の優先権主張の日前に頒布された刊行物である特開２００７−３２２８４７号公報（以下、「刊行物１」という）には、図面とともに次の事項が記載されている。
　
「【請求項３】
　撮影日時情報と撮影位置情報とが付与されている画像データのうちの日時変更操作部で指定した日時に撮影した画像データを表示する画像表示方法において、
　前記画像データの撮影位置情報を含む表示地域の地図を表示する第１ステップと、
　前記日時変更部で変更した日時に該当する撮影日時情報をもつ画像データを検索し、検索した画像データを、前記表示した地図上のうちの前記検索した画像データの撮影位置情報に対応する位置に表示する第２ステップと、を有することを特徴とする画像表示方法。」
　
「【発明の詳細な説明】
【技術分野】
【０００１】
　本発明は、撮影時期情報、及び、撮影位置情報を付与した画像データをアルバム的に整理して表示する画像表示方法、及び、装置、並びに画像表示方法を実行するためのプログラムに関する。
【背景技術】
【０００２】
　従来、大量の画像 データ等を保存整理する方法としては、撮影時間、作成時間、修正時間など、いわゆる時間情報を指標とし、時系列に取出し可能に保存する方法が知られている。このような保存方法は、検索時の効率を考えても有効であり、実用的でもあり、広くデータベース装置などで採用されている。また、そのような時系列座標軸を基準とした画像 データベースに於いて、所望のデータ（画像、写真）を直感的に見つけ出す方法として、時系列座標軸上に一次元あるいは、二次元的にデータを配置するものが知られている（特許文献１，２）。この種の装置では、時系列座標軸上のある一定期間の範囲内に存在する画像データが表示される。
【０００３】
　また、近年では、ＧＰＳ（Global Positioning System）測位システムを利用して、撮影地点の位置データを画像データに付与して記憶することができるデジタルカメラ（例えば、ＧＰＳ機能を有するカメラ付き携帯電話）も普及してきており、デジタルカメラで撮影した画像データに付与された位置データから撮影地点の地名や建物名等のいわゆるランドマーク名を特定し、ランドマーク名毎に画像データを分類する方法が提案されている（特許文献３）。ランドマークは、建物や記念碑等の建築物、或いは大きな立ち木等、人工物・自然物を問わずその場所に存在する様々な目印となるオブジェクトを画像化したものである。
【０００４】
　特許文献３の写真画像の検索装置及びファイル状態の表示方法では、地図上に画像データが蓄積されていることを表すアイコンを表示し、そのアイコンに対応した位置に画像データの蓄積枚数を表示している。
【特許文献１】特開平１１−３２８２０９号公報
【特許文献２】特開２００５−２１７８８６号公報
【特許文献３】特開平８−３３５０３４号公報
【発明の開示】
【発明が解決しようとする課題】
【０００５】
　上記特許文献１、２に記載の発明では、時系列座標軸上にデータを一次元あるいは二次元的に表示するので、時期され分かれば所望の画像データを検索することが可能ではある。しかしながら、画像データの時期が分からない場合には、全ての期間を検索せざるをえない。また、特許文献３に記載の発明では、位置情報をキーワードとして入力することで、その地域の地図を表示してその地図上に関連する画像データの蓄積数を調べる方法であるので、所望する画像データに対応するキーワード（位置情報）が分からない場合には、地図の全部を検索することになる。というのは、所望する画像の撮影日時や撮影場所をユーザーが感覚的な把握しかしていなためである。そこで、撮影日時及び撮影場所を瞬時に認識することができる表示が求められている。
【０００６】
　本発明は、上記課題を解決するためになされたものであり、撮影場所と撮影日時との関係を瞬時に把握することができるように画像データを表示する画像表示方法及び装置並びに画像表示方法を実行するプログラムを提供することを目的とする。」
　
「【発明の効果】
【００１１】
　本発明によれば、撮影日時に応じて、撮影場所が地図上から特定でき、しかも、その位置に撮影した画像が表示されるので、画像データの撮影場所と撮影日時との関係を瞬時に把握することができる。
【発明を実施するための最良の形態】
【００１２】
　図１に示すように、パーソナルコンピュータ１０は、ＣＰＵ１１、ＲＯＭ１２、ＲＡＭ１３、ＬＣＤ１４、操作部１５、メモリカードリーダ１６、ＶＲＡＭ（ビデオメモリ）１７、及び、ＨＤ（格納部）１８などをバス２１に接続したハードウェアを備えている。操作部１５は、ポインティングデイスとしてのマウス１９やキーボード２０などで構成されている。メモリカードリーダ１６には、メモリカードが着脱自在にセットされる。メモリカードには、画像データを予め決めた形式に変換した画像ファイルが記録されている。
【００１３】
　ＨＤ１８には、メモリカードから取り込んだ画像ファイルが蓄積される。この画像ファイルには、撮影日時データ（撮影日時情報）、撮影時の位置データ（撮影位置情報）などの付随情報が画像データに関連付けして記録されている。この付随情報のうちの撮影日時は、ファイル作成日から判断でき、また、撮影時の位置データは、例えばＧＰＳ機能付きの撮像装置の場合には、撮影時の緯度・経度が自動的に画像データに付与される。なお、ＧＰＳ機能付きでない場合には、予め電子カメラやカメラ付き携帯電話などの撮像装置側で入力してもよいし、ＨＤ１８に取り込むときに入力してもよい。
【００１４】
　ＨＤ１８には、地図データと、ランドマークデータベースとが予め格納されている。ランドマークデータベースは、予め登録されているランドマークの名称（以下、「ランドマーク名」と称す）と、その所在地の位置情報、例えば基準位置（緯度・経度）を含む所定範囲の情報を対応付けしたデータアイテムを記録したデータベースである。地図データは、緯度・経度の位置データを含んでいる。ランドマークデータベースには、ランドマーク名とその位置情報とを追加登録や変更が可能になっている。
【００１５】
　また、ＨＤ１８には、オペレーティングシステム（ＯＳ）がインストールされ、さらに、本発明の一部を構成する画像表示用のアプリケーションソフトウェアがインストールされている。
【００１６】
　図２に示すように、オペレーティングシステム層２５は、入力デバイス管理システム２６、描画管理システム２７、カレンダシステム２８、及び、ファイルシステム２９などで構成されており、ハードウェア層３４を構成するキーボード２０、マウス１９、ＶＲＡＭ１７、ＬＣＤ１４、及び、ＨＤ１８などを、各インターフェイス３０〜３３を通じて制御する。カレンダシステム２８は、時計機能を有し、予め決められたカレンダに基づいて日時を自動的に更新する。
【００１７】
　画像表示用のアプリケーションソフトウェア層３５は、データベース作成システム３６、ランドマーク表示システム３７、地図データ表示システム３８、画像データ表示システム３９、及び、部品表示システム４０などで構成され、ユーザーの入力の受け付け、ファイル検索、サムネイル画像の作成、及び、サムネイル画像の描画などの制御を、ハードウェアを意識せずにウィンドウ画面上で行えるグラフィカルユーザインターフェース(GUI)を構築する。
【００１８】
　データベース作成システム（抽出部）３６は、画像データを取り込んで、サムネイル画像を作成してＨＤ１８の特定場所に保存するとともに、サムネイル画像のパス名、それに該当する撮影位置、及び、撮影日時を一つのデータアイテムとして記録した基本のデータベースを作成する。
【００１９】
　地図データ表示システム３８は、表示地域設定部４１と地図表示部４２とからなる。表示地域設定部４１は、基本のデータベースから位置データを抽出して、抽出した位置データの全部を含む表示区域を設定する。地図表示部４２は、表示区域に対応する地図データをＨＤ１８から読み出して、読み出した地図データをウィンドウ内の所定範囲に表示する。また、アプリケーションソフトウェア層３５のメニューシステム（図示なし）には範囲指定が用意されており、範囲指定がなされた場合に表示地域設定部４１が範囲指定に該当する地図データを読み出して前記ウィンドウ内の所定範囲に拡大して表示するように地図表示部４２を制御する。なお、この地図データ表示システム３８は、位置データを抽出する抽出部を含む。
【００２０】
　ランドマーク表示システム３７は、ランドマーク検索部４３とランドマーク表示部４４とで構成される。ランドマーク検索部４３は、表示地域設定部４１で設定した表示地域に所在地が含まれるランドマーク名をランドマークデータベースから検索する。ランドマーク表示部４４は、検索したランドマーク名を、表示地図上のその所在地に該当する位置に表示する。この表示としては、表示地図と、ランドマーク名の所在地を示すポイントと、ランドマーク名とを幾何補正により正確に重ね合わせて表示する。ランドマーク名の表示位置は、ポイントの位置、又はその位置の近傍の位置になっている。なお、地図上に多数のランドマーク名を表示する場合には、重なって見え難くなるおそれがある。この場合には、ランドマーク名同士又はランドマーク名と地図とが重ならないように、ポイントからウィンドウ画面隅の方向に引き出し線を表示してその端に接続してランドマーク名を表示する。また、ランドマーク名を表示する代わりに、ランドマークを絵や記号にしたアイコン画像を表示してもよい。
【００２１】
　部品表示システム４０は、ウィンドウ内の所定位置に、日時を表示するボックス、及び、日時を変更するためのスクロールバーなどの部品を表示する。初期起動時には、カレンダースステムから読み込んだ現時点の日時がボックスに表示される。なお、本発明の日時変更部は、部品表示システム４０、入力デバイス管理システム２６、マウスインターフェース３１、及び、マウス１９で構成される。
【００２２】
　画像データ表示システム３９は、日時管理部４５、及び、データ表示部４６とで構成されている。日時管理部４５は、基本のデータベースから最古の撮影日と最新の撮影日とから日時変更の表示期間を決定する。また、日時管理部４５は、ランドマークデータベースと基本のデータベースとに基づいて、指定日時に応じたサムネイル画像を地図上のランドマーク名ごとに表示する表示順データベースを作成する。この表示順データベースは、図３に示すように、撮影日時、その日時に撮影した所在地であるランドマーク名、及び、そのランドマーク名の所在地で同日時に撮影したサムネイル画像のファイル名を一纏めにしたデータアイテムを、撮影日時順に記録したデータベースである。データ表示部４６は、地図上に表示した各ランドマーク名に対応する位置に画像枠を表示し、表示順データベースに基づいて指定日時に撮影したサムネイル画像を画像枠に表示する。なお、この画像データ表示システム３９は、本発明の期間設定部と、撮影日時情報を抽出する抽出手段とを構成する。
【００２３】
　画像表示用のアプリケーションソフトウェアは、図４に示すように、起動することで、データベース作成システム３６で画像デーアを取り込んでサムネイル画像を作成するとともに、画像データごとにサムネイル画像のパス名、位置データ、撮影日時からなるデータアイテムを記録した基本のデータベースを作成する。さらに、データベース作成システム３６は、基本のデータベースとランドマークデータベースとに基づいて表示順データベースを作成する。次に、表示地域設定部４１で、基本のデータベースから抽出した位置データに基づいて表示区域を設定し、地図表示部４２が設定された表示区域を含む地図を表示する。
【００２４】
　また、ランドマーク検索部４３は、ランドマークデータベースから表示区域に含まれるランドマーク名を抽出し、ランドマーク表示部４６が地図上にランドマーク名を表示する。データ表示部４６は、ランドマーク名に対応する位置に画像枠を表示し、表示順データベースに基づいて指定日時に該当するサムネイル画像を画像枠に表示する。
【００２５】
　画像表示用のアプリケーションソフトウェアによって構築されるＧＵＩは、図５に示すように、ウィンドウ５０の所定位置に部品であるボックス５１、及び、スライドバー５２と、地図５３、ランドマーク名５４、５５、及び、画像枠５６、５７などが表示される。この例の場合には、ＨＤ１８に格納されている画像データに付与した位置データの全部が、日本の地域に含まれる位置データであるため、日本地図が表示されている。符号５８はマウスカーソルであり、このマウスカーソル５８は、マウスで操作し、また、マウスに付いているボタンを押すことで、「位置」と「指示」を明確にし、視覚的な操作を行うことができる。
【００２６】
　スライドバー５２は、スロットルレバー型の画像で表示されており、レバー部５９をマウスカーソルでドラックすることでレバー部５９が一方向に可変する。ボックス５１には現在の日時が表示されている。この日時は、レバー部５９の可変操作に応じて可変する。この可変範囲が画像データの撮影日時情報に基づいて割り出した最新日時から最古日時までの表示期間に対応する。ボックス５１に表示される日時は、例えば「年・月」の表示になっている。地図５３には、ランドマークの所在地を示すポイント６０、そのポイント６０から引き出し線６１で繋がれて対応づけされたランドマーク名５４，５５、及び、その下に画像枠５６，５７がそれぞれ表示されている。
【００２７】
　ボックス５１での指定日時は、年・月の時間幅で変更可能になっている。画像枠５６，５７には、サムネイル画像が表示されている。このサムネイル画像は、ボックス５１での指定日時に撮影した画像である。この実施形態では、同じ場所で同じ年月に撮影した画像データが多数あるので、複数あることを示すために、複数の枠をウィンドウ５０上の予め決めた一方向に僅かにずらした列形態で画像枠５６，５７を表示し、最前面の枠に撮影日時の早いものを表示している。最前面の枠内でマウスカーソル５８を横にドラッグすると、ドラッグしている期間だけ、同年月に撮影したサムネイル画像が表示順データベースに基づいた順でスライド表示される。ドラッグを止めると、その時点のサムネイル画像が表示される。画像枠５６，５７に表示したサムネイル画像をクリックすると、別ウィンドウが開き、それに対応する画像データを読み出して画像を大きく表示する。このような表示もデータ表示部４６が制御する。なお、画像枠５６，５７は、最前面の枠を大きいサイズにし、これから最背面に向けて徐々に小さくなるように表示して立体効果を与えるようにしてもよい。
【００２８】
　スロットルレバー５２のレバー部５９をマウスカーソル５８で「現在」から「過去」の表示位置に向けてドラッグすると、ボックス５１の日時が過去の日時に向けて変化し、画像枠５６、５７に表示する画像が連続的に入れ代わったり、地図上の異なる位置にランドマーク名とサムネイル画像が表示されたりする。なお、スロットルレバー５２のアイコンの代わりに、スライドバーのアイコンを表示して日時を変更させるようにしてもよい。
【００２９】
　表示順データベースの概念を説明した図３に示すように、撮影日時（年・月）が現在のときには、ランドマーク１と、ランドマーク２とで撮影したサムネイル画像があり、ランドマーク１には、同年月に撮影した多数のサムネイル画像のファイル名、例えば「サムネイル１、サムネイル３、・・・」が、最新の撮影日時が上になる順で記載されている。そして、最初は、画像枠５６に「サムネイル１」の画像が表示される。
【００３０】
　日時（Ｈ４０４）のときには、ランドマーク３で撮影した画像データがあり、ランドマーク３には、同年月に撮影した多数のサムネイル画像のファイル名、例えば「サムネイル５６、サムネイル３３、・・・」が最新の撮影日時が上になる順で記載されている。このときも、画像枠には、最も上に記載されたサムネイル画像が表示される。他のサムネイル画像は、画像枠内でドラッグ操作をすることで画像枠内にスライド表示される。
【００３１】
　マウスカーソル５８で地図５３の一部を範囲指定すると、図６に示すように、指定範囲に含まれる地図が拡大表示される。このとき、表示範囲に所在地が含まれるランドマーク名だけが表示され、しかもランドマーク名と画像枠も地図の拡大率に応じて拡大される。なお、元の大きさに戻すときには、マウスの右クリックでポップアップメニューを表示して、その中にある「元の大きさに戻す」を選択する。また、ウィンドウ５０に表示される地図を移動させるための上・下・左・右ボタンや、地図の拡縮を行うための拡大・縮小ボタンを配置してもよい。
【００３２】
　また、上記実施形態では、撮影日時及び場所が同じ情報の画像が複数ある場合、データ表示部４６が画像枠に一つの画像しか表示しない制御として説明しているが、代わりに、全部の画像を表示するようにしてもよい。この場合には、図７に示すように、ランドマーク名６３に対応する位置に、撮影日時及び場所が同じ情報のサムネイル画像の枚数分だけ画像枠６４〜６８を横に並べて表示し、表示順データベースに基づいて各画像枠６４〜６８にサムネイル画像を順番に表示すればよい。枚数に応じて画像枠６４〜６８のサイズを変えるようにすると、ウィンドウ５０内に多数の画像を収めて表示することができる。」
　
（２）刊行物１発明
（２）−１「撮影日時情報と撮影位置情報とが付与されている画像データのうちの日時変更操作部で指定した日時に撮影した画像データを表示する画像表示方法において、
　前記画像データの撮影位置情報を含む表示地域の地図を表示する第１ステップと、
　前記日時変更部で変更した日時に該当する撮影日時情報をもつ画像データを検索し、検索した画像データを、前記表示した地図上のうちの前記検索した画像データの撮影位置情報に対応する位置に表示する第２ステップと、を有することを特徴とする画像表示方法であって、」
　刊行物１の請求項３には、「撮影日時情報と撮影位置情報とが付与されている画像データのうちの日時変更操作部で指定した日時に撮影した画像データを表示する画像表示方法において、
　前記画像データの撮影位置情報を含む表示地域の地図を表示する第１ステップと、
　前記日時変更部で変更した日時に該当する撮影日時情報をもつ画像データを検索し、検索した画像データを、前記表示した地図上のうちの前記検索した画像データの撮影位置情報に対応する位置に表示する第２ステップと、を有することを特徴とする画像表示方法」の発明が記載されている。
　
（２）−２「前記日時変更操作部は、スライドバーであって、スロットルレバー型の画像で表示されており、レバー部をマウスカーソルでドラックすることでレバー部が一方向に可変し、レバー部の可変操作に応じてボックスに表示されている日時が可変し、ボックスに表示される日時は、例えば「年・月」の表示になっていて、指定日時は、年・月の時間幅で変更可能になっており、」
　刊行物１の【発明を実施するための最良の形態】には、上記請求項３の発明の実施形態が記載されており、日時変更操作部の実施形態として、スライドバー５２が記載されいてる。このスライドバーに関して、【００２６】には、「スライドバー５２は、スロットルレバー型の画像で表示されており、レバー部５９をマウスカーソルでドラックすることでレバー部５９が一方向に可変する。ボックス５１には現在の日時が表示されている。この日時は、レバー部５９の可変操作に応じて可変する。」とあるから、刊行物１に記載された画像表示方法は、「前記日時変更操作部は、スライドバーであって、スロットルレバー型の画像で表示されており、レバー部をマウスカーソルでドラックすることでレバー部が一方向に可変し、レバー部の可変操作に応じてボックスに表示されている日時が可変」するものである。
　また、「ボックス５１に表示される日時は、例えば「年・月」の表示になっている。」（【００２６】）、「ボックス５１での指定日時は、年・月の時間幅で変更可能になっている。」（【００２７】）との記載から、「ボックスに表示される日時は、例えば「年・月」の表示になっていて、指定日時は、年・月の時間幅で変更可能になって」いるといえる。
　したがって、刊行物１に記載された画像表示方法では、「前記日時変更操作部は、スライドバーであって、スロットルレバー型の画像で表示されており、レバー部をマウスカーソルでドラックすることでレバー部が一方向に可変し、レバー部の可変操作に応じてボックスに表示されている日時が可変し、ボックスに表示される日時は、例えば「年・月」の表示になっていて、指定日時は、年・月の時間幅で変更可能になっており」といえる。
　
（２）−３「前記表示地域の地図を表示する第１ステップは、データベース作成システムが、取り込んだ画像データのサムネイル画像を作成して保存するとともに、サムネイル画像のパス名、それに該当する撮影位置、及び、撮影日時を一つのデータアイテムとして記録した基本のデータベースを作成し、地図データ表示システムが、基本のデータベースから位置データを抽出して、抽出した位置データの全部を含む表示区域を設定し、表示区域に対応する地図データを読み出して、読み出した地図データをウィンドウ内の所定範囲に表示するものである、」
　刊行物１には、表示地域の地図を表示する第１ステップに関する実施形態として、「データベース作成システム（抽出部）３６は、画像データを取り込んで、サムネイル画像を作成してＨＤ１８の特定場所に保存するとともに、サムネイル画像のパス名、それに該当する撮影位置、及び、撮影日時を一つのデータアイテムとして記録した基本のデータベースを作成する。
　地図データ表示システム３８は、表示地域設定部４１と地図表示部４２とからなる。表示地域設定部４１は、基本のデータベースから位置データを抽出して、抽出した位置データの全部を含む表示区域を設定する。地図表示部４２は、表示区域に対応する地図データをＨＤ１８から読み出して、読み出した地図データをウィンドウ内の所定範囲に表示する。」（【００１８】【００１９】）と記載されている。
　この記載を言い換えると、刊行物１記載の画像表示方法では、「データベース作成システムが、取り込んだ画像データのサムネイル画像を作成して保存するとともに、サムネイル画像のパス名、それに該当する撮影位置、及び、撮影日時を一つのデータアイテムとして記録した基本のデータベースを作成し、前記表示地域の地図を表示する第１ステップは、地図データ表示システムが、データベース作成システムが作成した基本のデータベースから位置データを抽出して、抽出した位置データの全部を含む表示区域を設定し、表示区域に対応する地図データを読み出して、読み出した地図データをウィンドウ内の所定範囲に表示するものである」といえる。
　
　以上をまとめると、刊行物１には、次の発明（以下、「刊行物１発明」という）が記載されていると認められる。
　
［刊行物１発明］
「撮影日時情報と撮影位置情報とが付与されている画像データのうちの日時変更操作部で指定した日時に撮影した画像データを表示する画像表示方法において、
　前記画像データの撮影位置情報を含む表示地域の地図を表示する第１ステップと、
　前記日時変更部で変更した日時に該当する撮影日時情報をもつ画像データを検索し、検索した画像データを、前記表示した地図上のうちの前記検索した画像データの撮影位置情報に対応する位置に表示する第２ステップと、を有することを特徴とする画像表示方法であって、
　前記日時変更操作部は、スライドバーであって、スロットルレバー型の画像で表示されており、レバー部をマウスカーソルでドラックすることでレバー部が一方向に可変し、レバー部の可変操作に応じてボックスに表示されている日時が可変し、ボックスに表示される日時は、例えば「年・月」の表示になっていて、指定日時は、年・月の時間幅で変更可能になっており、
　データベース作成システムが、取り込んだ画像データのサムネイル画像を作成して保存するとともに、サムネイル画像のパス名、それに該当する撮影位置、及び、撮影日時を一つのデータアイテムとして記録した基本のデータベースを作成し、前記表示地域の地図を表示する第１ステップは、地図データ表示システムが、データベース作成システムが作成した基本のデータベースから位置データを抽出して、抽出した位置データの全部を含む表示区域を設定し、表示区域に対応する地図データを読み出して、読み出した地図データをウィンドウ内の所定範囲に表示するものである、
　画像表示方法。」
　
３．本願発明と刊行物１発明との対比
（１）本願発明の「メディアを提示するための方法」について
　本願発明の「メディア」とは、「画像、映像、音声記録など」（【００２３】）である。
　刊行物１発明は、「画像表示方法」であって、これは本願発明の「メディアを提示するための方法」に相当するといえる。
　よって、本願発明と刊行物１発明とは、「メディアを提示するための方法」である点で一致する。
　
（２）本願発明の「入力デバイスを介して、ユーザにより選択される開始点および終了点を受信し、前記開始点および前記終了点が、前記開始点および前記終了点の選択を介して、前記ユーザによって選択された時間幅を有する時間間隔に対応するステップ」について
　本願発明のこのステップは、「入力デバイスを介して、ユーザにより選択される開始点および終了点を受信するステップ」であって、「前記開始点および前記終了点が、前記開始点および前記終了点の選択を介して、前記ユーザによって選択された時間幅を有する時間間隔に対応」するものであると言い換えられる。
　
　刊行物１発明は、「日時変更操作部で指定した日時に撮影した画像データを表示する」ものであって、「前記日時変更操作部は、スライドバーであって、スロットルレバー型の画像で表示されており、レバー部をマウスカーソルでドラックすることでレバー部が一方向に可変し、レバー部の可変操作に応じてボックスに表示されている日時が可変する」ものである。すなわち、スライドバーをユーザが操作して日時を指定し、それを用いて画像を表示するのであるから、スライドバー（本願発明の「入力デバイス」に相当）を介して、ユーザにより選択される日時を受信するステップを含んでいるといえる。
　
　ここで、本願発明の「開始点および前記終了点」と刊行物１発明の「日時」は、いずれも、提示するメディア（表示する画像）を決定するのに用いる時間情報であるという点で共通するものである。
　したがって、本願発明と刊行物１発明とは、「入力デバイスを介して、ユーザにより選択される時間情報を受信するステップ」を含む点で共通するといえる。
　
　また、刊行物１発明の時間情報である日時は、「例えば「年・月」」であり、「年・月」は、「時間幅を有する時間間隔に対応」するものであるといえるから、本願発明と刊行物１発明とは、「前記時間情報が、時間幅を有する時間間隔に対応」するものである点でも共通しているといえる。
　
　まとめると、両者は、「入力デバイスを介して、ユーザにより選択される時間情報を受信し、前記時間情報が、時間幅を有する時間間隔に対応するステップ」を含む点で共通するものであるといえる。
　ただし、入力デバイスを介して、ユーザにより選択される時間情報を受信するステップにおける、「ユーザにより選択される時間情報」が、本願発明では、「開始点および終了点」であって、「前記開始点および前記終了点が、前記開始点および前記終了点の選択を介して、前記ユーザによって選択された時間幅を有する時間間隔に対応する」ものであるのに対し、刊行物１発明では、日時、例えば、「年・月」であって、これがその選択を介して、前記ユーザによって選択された時間幅を有する時間間隔に対応するものではない点で両者は相違する。
　
（３）本願発明の「地理的領域を表し、かつ、前記地理的領域が前記ユーザにより決定された前記時間幅を有する前記時間間隔に少なくとも部分的に基づく画像を表示するステップ」について
　本願発明のこのステップは、「地理的領域を表す画像を表示するステップ」であって、「前記地理的領域が前記ユーザにより決定された前記時間幅を有する前記時間間隔に少なくとも部分的に基づく」ものであると言い換えられる。
　ここで、「前記地理的領域が・・・前記時間間隔に少なくとも部分的に基づく」とは、本願図面の【図３Ａ】では、表示されている地図（地理的領域）が世界全体の地図であること、明細書の【００３３】には、「スライダ３１７がスライドバー３１６に沿って移動するにつれて、地図の倍率を大きくしたり小さくしたりしなくてもよい」と記載されていることからすれば、前記地理的領域が、前記時間間隔に基づいて変化する（前記時間間隔が変化するにつれて、前記地理的領域が変化する）ことを特定し、要求しているのではなく、表示する前記地理的領域の少なくとも一部分が、前記時間間隔に基づいていること、すなわち、表示する前記地理的領域が、前記時間間隔に対応する地理的領域を含んでいることを特定していると理解できる。
　
　刊行物１発明の「地図を表示する第１ステップ」において、表示される地図は「地理的領域を表す画像」といえる。
　したがって、本願発明と刊行物１発明とは、「地理的領域を表す画像を表示するステップ」を含む点で一致する。
　
　また、刊行物１発明の表示される地図は、第１ステップで、「データベース作成システムが、取り込んだ画像データのサムネイル画像を作成して保存するとともに、サムネイル画像のパス名、それに該当する撮影位置、及び、撮影日時を一つのデータアイテムとして記録した基本のデータベースを作成し、前記表示地域の地図を表示する第１ステップは、地図データ表示システムが、データベース作成システムが作成した基本のデータベースから位置データを抽出して、抽出した位置データの全部を含む表示区域を設定し、表示区域に対応する地図データを読み出して、読み出した地図データをウィンドウ内の所定範囲に表示するものである」ように表示されるものであるから、表示される地図は、取り込んだ画像データの位置データの全部が含まれるような表示区域に対応するものである。画像データには、撮影日時情報も付与されているので、表示される地図は、取り込んだ画像データの撮影した日時も全部含まれるような表示区域に対応するものであるといえる。
　つまり、スライドバーをユーザが操作して指定した日時により画像データを検索した場合に、検索した画像データの撮影位置も表示される地図には含まれているから、地図の表示区域は、ユーザにより指定された日時に対応する区域を含む、すなわち、日時に少なくとも部分的に基づくものであるということができる。
　したがって、本願発明と刊行物１発明とは、「前記地理的領域が前記ユーザにより決定された前記時間幅を有する前記時間間隔に少なくとも部分的に基づく」ものである点で一致している。
　よって、本願発明と刊行物１発明は、「地理的領域を表し、かつ、前記地理的領域が前記ユーザにより決定された前記時間幅を有する前記時間間隔に少なくとも部分的に基づく画像を表示するステップ」を含む点で一致する。
　
（４）本願発明の「提示された前記メディアが前記ユーザにより選択された前記時間幅を有する前記時間間隔に少なくとも部分的に基づく、前記メディアを提示するステップ」について
　刊行物１発明の「検索した画像データを、・・・表示する第２ステップ」は、「メディアを提示するステップ」といえる。刊行物１発明において表示される「検索した画像データ」（本願発明でいう「提示された前記メディア」）は、「前記日時変更部で変更した日時に該当する撮影日時情報をもつ画像データを検索し」たものであるから、ユーザにより選択された日時（本願発明でいう「前記時間幅を有する前記時間間隔」）に（少なくとも部分的に）基づくものである。
　よって、本願発明と刊行物１発明は、「提示された前記メディアが前記ユーザにより選択された前記時間幅を有する前記時間間隔に少なくとも部分的に基づく、前記メディアを提示するステップ」を含む点で一致する。
　
（５）一致点、相違点
　以上（１）−（４）をまとめると、本願発明と刊行物１発明の一致点、相違点は次のとおりである。
　
［一致点］
　メディアを提示するための方法であって、前記方法は、
　入力デバイスを介して、ユーザにより選択される時間情報を受信し、前記時間情報が、時間幅を有する時間間隔に対応するステップと、
　地理的領域を表し、かつ、前記地理的領域が前記ユーザにより決定された前記時間幅を有する前記時間間隔に少なくとも部分的に基づく画像を表示するステップと、
　提示された前記メディアが前記ユーザにより選択された前記時間幅を有する前記時間間隔に少なくとも部分的に基づく、前記メディアを提示するステップと、
を含む、方法。
　
［相違点］
　入力デバイスを介して、ユーザにより選択される時間情報を受信するステップにおける、「ユーザにより選択される時間情報」が、本願発明では、「開始点および終了点」であって、「前記開始点および前記終了点が、前記開始点および前記終了点の選択を介して、前記ユーザによって選択された時間幅を有する時間間隔に対応する」ものであるのに対し、刊行物１発明では、日時、例えば、「年・月」であって、これがその選択を介して、前記ユーザによって選択された時間幅を有する時間間隔に対応するものではない点。
　
４．当審の判断
　刊行物１発明は、「撮影時期情報、及び、撮影位置情報を付与した画像データをアルバム的に整理して表示する画像表示方法」（【０００１】）に関するものであって、「従来、大量の画像 データ等を保存整理する方法としては、撮影時間、作成時間、修正時間など、いわゆる時間情報を指標とし、時系列に取出し可能に保存する方法が知られている。このような保存方法は、検索時の効率を考えても有効であり、実用的でもあり、広くデータベース装置などで採用されている。また、そのような時系列座標軸を基準とした画像 データベースに於いて、所望のデータ（画像、写真）を直感的に見つけ出す方法として、時系列座標軸上に一次元あるいは、二次元的にデータを配置するものが知られている（特許文献１，２）。この種の装置では、時系列座標軸上のある一定期間の範囲内に存在する画像データが表示される。」（【０００２】）、「上記特許文献１、２に記載の発明では、時系列座標軸上にデータを一次元あるいは二次元的に表示するので、時期され分かれば所望の画像データを検索することが可能ではある。しかしながら、画像データの時期が分からない場合には、全ての期間を検索せざるをえない。」（【０００５】）、「本発明は、上記課題を解決するためになされたものであり、撮影場所と撮影日時との関係を瞬時に把握することができるように画像データを表示する画像表示方法及び装置並びに画像表示方法を実行するプログラムを提供することを目的とする。」（【０００６】）との記載から、複数の画像データの中から、一定期間の範囲内の撮影日時の画像データを検索することを一つの前提としたものである。
　刊行物１発明では、検索のための日時を、例えば「年・月」で指定するものであるが、検索のための日時の指定を、“いつからいつまで”などのように開始点および終了点からなる時間間隔で指定することは普通に想定し得ることであるとともに、普通に行われていることでもある（例えば、特開２００８−３３７５５号公報の【００６０】には、【図６】、【図７】とともに「符号２９の検索対象期間の操作バーを操作することにより、検索すべき日時の範囲を指定することもできる。」と記載されている。また、特開２００７−２１３１８４号公報の【００３４】には、【図４】とともに「ユーザは、第１のダイアログボックスの検索条件入力画面１６０上から、検索期間を年月日で指定する。」と記載されている。）から、刊行物１発明においても、（検索に使用する）ユーザにより選択される時間情報を、日時、例えば、「年・月」の代わりに、開始点および終了点として時間間隔を指定することは当業者が容易に想到し得ることである。
　すなわち、刊行物１発明において、日時変更操作部の可変操作に応じて可変する日時を、「開始点および終了点」であって、「前記開始点および前記終了点が、前記開始点および前記終了点の選択を介して、前記ユーザによって選択された時間幅を有する時間間隔に対応する」ものとすることは当業者が容易に想到し得ることである。
　
　そして、効果についてみても、上記相違点の構成の採用に伴って予測し得ない格別顕著なものがあるともいえない。
　したがって、本願発明は、刊行物１発明及び周知技術に基づいて当業者が容易に発明をすることができたものである。
　
第４．予備的検討
　上記「第３．３．本願発明と刊行物１発明との対比の（３）」において、本願発明の「前記地理的領域が・・・前記時間間隔に少なくとも部分的に基づく」とは、前記地理的領域が、前記時間間隔に基づいて変化する（前記時間間隔が変化するにつれて、前記地理的領域が変化する）ことを特定し、要求しているのではなく、表示する前記地理的領域の少なくとも一部分が、前記時間間隔に基づいていること、すなわち、表示する前記地理的領域が、前記時間間隔に対応する地理的領域を含んでいることを特定していると理解できるとして、本願発明の「地理的領域を表し、かつ、前記地理的領域が前記ユーザにより決定された前記時間幅を有する前記時間間隔に少なくとも部分的に基づく画像を表示するステップ」を、刊行物１発明との一致点としたが、本願発明の「前記地理的領域が・・・前記時間間隔に少なくとも部分的に基づく」が、前記地理的領域が、前記時間間隔に基づいて変化することを意味すると解釈することも文言上可能であるので、その場合について検討する。
　この場合、本願発明と刊行物１発明とは、上述した［相違点］に加えて、さらに、次の［相違点２］を有する。
　
［相違点２］
　地理的領域を表す画像を表示するステップにおいて、本願発明では、「前記地理的領域が前記ユーザにより決定された前記時間幅を有する前記時間間隔に少なくとも部分的に基づく」のに対し、刊行物１発明では、地図の表示区域（本願発明でいう「地理的領域」）が指定した日時（本願発明でいう「前記ユーザにより決定された前記時間幅を有する前記時間間隔」）に少なくとも部分的に基づくものではない点。
　
　この相違点２について検討する。
　刊行物１には、【００３１】に、【図６】とともにマウスカーソルにより地図の一部を範囲指定して、指定範囲に含まれる地図を拡大表示することが記載されている。拡大表示をするのは地図の指定範囲の部分にある検索結果を見やすくするためであることは明らかである。
　一方、検索結果を地図上に表示する場合に、複数の検索結果が表示する地図に入るように地図の縮尺を変更して見やすくすることは、よく知られた周知の技術（例えば、特開２００８−３８６９号公報の【００９２】には、【図１５】とともに、「検索結果の件数の全ての施設が地図に入るように縮尺を動的に変更して検索結果画面を表示することも可能である。」と記載されている）である。
　したがって、刊行物１発明において、地図上の検索結果を見やすくするための技術として、複数の検索結果が表示する地図に入るように地図の縮尺を変更する周知技術を採用すること、すなわち、「前記地理的領域が前記ユーザにより決定された前記時間幅を有する前記時間間隔に少なくとも部分的に基づく」ようにすることは、当業者が容易に想到し得ることである。
　
　したがって、本願発明は、刊行物１発明及び周知技術に基づいて当業者が容易に発明をすることができたものである。
　
第５．むすび
　以上のとおりであるから、本願の請求項１に係る発明は、特許法第２９条第２項の規定により特許を受けることができない。
　したがって、本願は、その余の請求項について論及するまでもなく、拒絶すべきものである。
　よって、結論のとおり審決する。